(57)【要約】【課題】基材に含有される放射性物質の壊変生成物を原料水に速やかに溶出させることのできる放射性水溶液製造装置を提供する。【解決手段】放射性物質を含有する基材を収容するための内槽１１０と、内槽１１０を原料水２００に浸漬するための外槽１２０とを備え、内槽１１０が通水性材料１１１で形成され、前記放射性物質の壊変生成物を原料水２００に溶出させることによって放射性水溶液を得る放射性水溶液製造装置１００に、内槽１１０を回転駆動するための回転駆動手段１３０を設けた。【選択図】図１
2007170878.tif 000002
【特許請求の範囲】
【請求項１】
放射性物質を含有する基材を収容するための内槽と、内槽を原料水に浸漬するための外槽とを備え、内槽が通水性材料で形成され、前記放射性物質の壊変生成物を前記原料水に溶出させることによって放射性水溶液を得る放射性水溶液製造装置であって、内槽を回転駆動するための回転駆動手段を設けたことを特徴とする放射性水溶液製造装置。
【請求項２】
基材を攪拌するための攪拌板を内槽の内周部に設けた請求項１記載の放射性水溶液製造装置。
【請求項３】
攪拌板を内槽の中心軸に対して傾斜させた請求項２記載の放射性水溶液製造装置。
【請求項４】
複数の攪拌板を所定間隔で内槽の中心軸方向に並べた請求項２又は３記載の放射性水溶液製造装置。
【請求項５】
前記原料水を加熱するための加熱手段を設けた請求項１〜４いずれか記載の放射性水溶液製造装置。
【請求項６】
前記通水性材料の開孔径を１ｍｍ以下に設定した請求項１〜５いずれか記載の放射性溶液製造装置。
【請求項７】
放射性物質を含有する基材を通水性材料で形成された内槽に収容し、外槽に貯めた原料水に内槽を浸漬し、前記放射性物質の壊変生成物を前記原料水に溶出させることによって放射性水溶液を得る放射性水溶液製造方法であって、内槽を回転させながら前記壊変生成物を溶出させることを特徴とする放射性水溶液製造方法。
【請求項８】
基材の粒径を１０ｍｍ以下に設定した請求項７記載の放射性水溶液製造方法。
【発明の詳細な説明】
【技術分野】
【０００１】
本発明は、基材に含有される放射性物質の壊変生成物を原料水に溶出させることによって放射性水溶液を得る放射性水溶液製造装置と放射性水溶液製造方法とに関する。
【背景技術】
【０００２】
ラドンやラジウムなどの放射性物質を含有する温泉に、各種疾病の治癒を促進する作用があることは、古くから知られていた。放射性物質を含有する温泉は、放射能泉と呼ばれており、我が国では鳥取県の三朝温泉や秋田県の玉川温泉などが、海外ではオーストリアのザルツブルグ州バドガシュタインのガシュタインヒーリング坑道などが著名となっている。近年には、これらの放射能泉と同様の効能を奏する放射性水溶液を人工的に製造する試みがなされるようになり、種々の放射性水溶液製造装置が提案されるようになってきている。
【０００３】
例えば、放射性物質を含有する基材を収容するための内槽と、内槽を原料水に浸漬するための外槽とを備え、内槽が通水性材料で形成され、前記放射性物質の壊変生成物を前記原料水に溶出させることによって放射性水溶液を得るようにした放射性水溶液製造装置が提案されている（例えば、特許文献１を参照。）。しかし、この種の放射性水溶液製造装置の殆どは、前記壊変生成物を速やかに溶出させることができるものとはなっておらず、放射性水溶液の製造に時間を要するものとなっていた。
【０００４】
このような実状に鑑みてか、気泡を噴射するための気泡噴射手段を設けて、内槽に収容された基材を気泡で攪拌できるようにした放射性水溶液製造装置も提案されている（例えば、特許文献２を参照。）。しかし、基材を気泡で攪拌する形態の放射性水溶液製造装置には、内槽を形成する通水性材料の開孔径を小さく設定すると、気泡が内槽の内部に入り込めなくなり、基材の攪拌を効果的に行うことができなくなるという欠点があった。
【０００５】
このため、基材を気泡で攪拌する形態の放射性水溶液製造装置では、内槽を形成する通水性材料の開孔径を大きく設定しなければならず、基材の粒径を小さく設定することができなかった。したがって、基材を気泡で攪拌する形態の放射性水溶液製造装置も、前記壊変生成物を速やかに溶出させることができるものとはいえなかった。基材の粒径が大きいと、基材の単位体積当たりの表面積が狭くなり、前記壊変生成物は溶出しにくくなってしまうからである。
【０００６】
【特許文献１】特公昭６０−０４７８５８号公報（特許請求の範囲、第５欄６〜１９行目、第２図）
【特許文献２】特公平０６−０４８３２０号公報（特許請求の範囲、第５欄２５行目〜第６欄１行目、第１図）
【発明の開示】
【発明が解決しようとする課題】
【０００７】
本発明は、上記課題を解決するためになされたものであり、基材に含有される放射性物質の壊変生成物を原料水に速やかに溶出させることのできる放射性水溶液製造装置を提供するものである。より具体的には、基材を攪拌できるだけでなく、内槽を形成する通水性材料の開孔径を小さく設定することもできる放射性水溶液製造装置を提供するものである。また、基材に含有される放射性物質の壊変生成物を原料水に速やかに溶出させることのできる放射性水溶液製造方法を提供することも本発明の目的である。
【課題を解決するための手段】
【０００８】
上記課題は、放射性物質を含有する基材を収容するための内槽と、内槽を原料水に浸漬するための外槽とを備え、内槽が通水性材料で形成され、前記放射性物質の壊変生成物を前記原料水に溶出させることによって放射性水溶液を得る放射性水溶液製造装置であって、内槽を回転駆動するための回転駆動手段を設けたことを特徴とする放射性水溶液製造装置を提供することによって解決される。これにより、内槽を形成する通水性材料の開孔径を小さく設定した場合であっても、内槽に収容された基材を攪拌することが可能になる。
【０００９】
内槽は、その一部又は全体が通水性材料で形成され、内部に基材を保持できる形態のものであれば特に限定されないが、通常、筒状（多角筒を含む。）に形成される。この場合には、通常、内槽の周壁が通水性材料で形成される。
【００１０】
このとき、基材を攪拌するための攪拌板を内槽の内周部に設けると好ましい。これにより、内槽に収容された基材をより効果的に攪拌することが可能になる。
【００１１】
また、攪拌板を内槽の中心軸に対して傾斜させることも好ましい。これにより、内槽に収容された基材をより効果的に攪拌することが可能になる。ここで、「傾斜」とは、攪拌板の主面（攪拌板を構成する各面のうち、面積が広く、基材の攪拌に最も寄与しうる面）が内槽の中心軸に対して非垂直である状態をいう。
【００１２】
さらに、複数の攪拌板を所定間隔で内槽の中心軸方向に並べることも好ましい。これにより、内槽の広い範囲で基材を攪拌することができるようになる。また、隣接する攪拌板の隙間から基材を逃がしやすくして、基材が攪拌板に引っかかったままの状態となるのを防止することも可能になる。
【００１３】
さらにまた、前記原料水を加熱するための加熱手段を設けることも好ましい。これにより、前記壊変生成物を原料水にさらに溶出させやすくすることができる。また、得られた放射性水溶液をそのまま温浴水として利用することもできるようになる。さらに、放射性水溶液製造装置の設置場所の温度や湿度を上昇させることもできるようになる。
【００１４】
ところで、上記課題は、放射性物質を含有する基材を通水性材料で形成された内槽に収容し、外槽に貯めた原料水に内槽を浸漬し、前記放射性物質の壊変生成物を前記原料水に溶出させることによって放射性水溶液を得る放射性水溶液製造方法であって、内槽を回転させながら前記壊変生成物を溶出させることを特徴とする放射性水溶液製造方法を提供することによって解決される。この放射性水溶液製造方法は、上記の放射性水溶液製造装置を用いて好適に実施することができるものとなっている。
【発明の効果】
【００１５】
以上のように、本発明によって、基材に含有される放射性物質の壊変生成物を原料水に速やかに溶出させることのできる放射性水溶液製造装置を提供することが可能になる。より具体的には、基材を攪拌できるだけでなく、内槽を形成する通水性材料の開孔径を小さく設定することもできる放射性水溶液製造装置を提供することが可能になる。また、基材に含有される放射性物質の壊変生成物を原料水に速やかに溶出させることのできる放射性水溶液製造方法を提供することも可能になる。
【発明を実施するための最良の形態】
【００１６】
本発明の放射性水溶液製造方法と放射性水溶液製造装置を、図面を用いてより具体的に説明する。図１は、本発明の放射性水溶液製造装置を示した説明図である。図２は、本発明の放射性水溶液製造装置における内槽をその中心軸Ｌ１に垂直な面で切断した状態を示した断面図である。図３は、本発明の放射性水溶液製造装置における内槽をその中心軸Ｌ１を含む平面で分割した状態を示した斜視図である。図４は、本発明の放射性水溶液製造装置における一の攪拌板列を各攪拌板の先端側から見た状態を示した図である。
【００１７】
１．０  放射性水溶液製造装置
まず、本発明の放射性水溶液製造装置について説明する。本実施態様の放射性水溶液製造装置１００は、図１に示すように、内槽１１０と、外槽１２０と、回転駆動手段１３０と、加熱手段１４０とを備えたものとなっている。この放射性水溶液製造装置１００は、基材に含有される放射性物質の壊変生成物を原料水２００に溶出させることによって放射性水溶液を得るものとなっている。
【００１８】
１．１  内槽
（１）  内槽の概要
内槽１１０は、放射性物質を含有する基材を収容するためのものとなっている。内槽１１０は、図２と図３に示すように、円筒状に形成されており、その周壁が通水性材料１１１で形成されたものとなっている。通水性材料１１１の素材は、特に限定されないが、通常、強度に優れた金属やセラミックスなどが採用される。本実施態様の放射性水溶液製造装置１００において、通水性材料１１１は、ステンレス鋼で形成されたものとなっている。この内槽１１０は、回転駆動手段１３０によってその中心軸Ｌ１周りに回転駆動されるようになっている。内槽１１０の容量は、それに収容する基材の容量によっても異なり、特に限定されないが、本実施態様の放射性水溶液製造装置１００においては、約６Ｌ（内槽１１０の内径が１５５ｍｍ、中心軸方向の長さが３２４ｍｍ）となっている。
【００１９】
（２）  通水性材料の開孔径
通水性材料１１１の開孔径は、内槽１１０に収容する基材の粒径によっても異なり、特に限定されない。しかし、通水性材料１１１の開孔径を小さく設定しすぎると、通水性材料１１１が基材で目詰まりしやすくなるおそれがある。このため、通水性材料１１１の開孔径は、通常、１０μｍ以上に設定される。通水性材料１１１の開孔径は、３０μｍ以上であると好ましく、４０μｍ以上であるとより好ましく、５０μｍ以上であるとさらに好ましい。
【００２０】
一方、通水性材料１１１の開孔径を大きく設定しすぎると、内槽１１０に収容する基材の粒径を小さく設定することができなくなり、それに含有される放射性物質の壊変生成物が原料水２００に溶出しにくくなるおそれがある。このため、通水性材料１１１の開孔径は、通常、１ｍｍ以下に設定される。通水性材料１１１の開孔径は、５００μｍ以下であると好ましく、３００μｍ以下であるとより好ましく、２００μｍ以下であるとさらに好ましい。本実施態様の放射性水溶液製造装置１００において、通水性材料１１１は、開孔径が６０μｍの２枚の通水性シートと、開孔径が５０μｍの１枚の通水性シートとを重ねたものとなっている。
【００２１】
（３）  攪拌板
本実施態様の放射性水溶液製造装置１００において、内槽１１０の内周部には、図２〜図４に示すように、基材を攪拌するための攪拌板１１２を複数設けている。複数の攪拌板１１２は、図３と図４に示すように、所定間隔で内槽１１０の中心軸Ｌ１と平行な方向に並べられており、中心軸Ｌ１と平行な複数の攪拌板列を形成している。それぞれの攪拌板１１２は、図４に示すように、内槽１１０の中心軸Ｌ１に対して傾斜して設けられている。各攪拌板列は、図２と図３に示すように、内槽１１０の中心軸Ｌ１に対して回転対称な位置に配されており、隣り合う攪拌板列の攪拌板１１２の向きが交互となるようになっている。このため、内槽１１０の内部に収容された基材が、内槽１１０の一端部に偏らないようになっている。
【００２２】
（４）  攪拌板の間隔
攪拌板１１２の間隔Ｄ１（図４を参照。）は、攪拌板１１２の寸法や基材の粒径によっても異なり、特に限定されない。しかし、攪拌板１１２の間隔Ｄ１を狭く設定しすぎると、隣り合う攪拌板１１２の隙間に基材がつまりやすくなるおそれがある。このため、攪拌板１１２の間隔Ｄ１は、通常、５ｍｍ以上に設定される。攪拌板１１２の間隔Ｄ１は、１０ｍｍ以上であると好ましく、１５ｍｍ以上であるとより好ましく、２０ｍｍ以上であるとさらに好ましい。
【００２３】
一方、攪拌板１１２の間隔Ｄ１を広く設定しすぎると、基材の攪拌が不十分になるおそれがある。このため、攪拌板１１２の間隔Ｄ１は、通常、６０ｍｍ以下に設定される。攪拌板１１２の間隔Ｄ１は、５０ｍｍ以下であると好ましく、４０ｍｍ以下であるとより好ましく、３０ｍｍ以下であるとさらに好ましい。本実施態様の放射性水溶液製造装置１００において、攪拌板１１２の間隔Ｄ１は、約２２ｍｍに設定されている。
【００２４】
（５）  攪拌板の傾斜角度
内槽１１０の中心軸Ｌ１に対する攪拌板１１２の傾斜角度θ１（図４を参照。）は、０°以上９０°以下の範囲で定義され、その大きさは特に限定されない。しかし、攪拌板１１２の傾斜角度θ１を小さく設定しすぎると、内槽１１０の内周面と攪拌板１１２との間に基材が詰りやすくなるおそれがある。このため、攪拌板１１２の傾斜角度θ１は、通常、５°以上に設定される。攪拌板１１２の傾斜角度θ１は、１０°以上であると好ましく、１５°以上であると好ましく、２０°以上であるとさらに好ましい。
【００２５】
一方、攪拌板１１２の傾斜角度θ１を大きく設定しすぎる（９０°に近い値に設定する）と、内槽１１０の中心軸Ｌ１と攪拌板１１２とが垂直に近づき、攪拌板１１２で基材を効果的に攪拌できなくなるおそれがある。このため、攪拌板１１２の傾斜角度θ１は、通常、８０°以下に設定される。攪拌板１１２の傾斜角度θ１は、６０°以下であると好ましく、５０°以下であるとより好ましく、４０°以下であるとさらに好ましい。本実施態様の放射性水溶液製造装置１００において、攪拌板１１２の傾斜角度θ１は３０°に設定されている。
【００２６】
１．２  外槽
（１）  外槽の概要
外槽１２０は、図１に示すように、内槽１１０を原料水２００に浸漬するためのものとなっている。外槽１２０の素材は、特に限定されないが、本実施態様の放射性水溶液製造装置１００においては、ステンレス鋼（ＳＵＳ３０４）で形成された外壁と、耐酸性に優れたステンレス鋼（ＳＵＳ３１６Ｌ）で形成された内壁との隙間に断熱性に優れたグラスウールを充填したものとなっている。外槽１２０の上部を覆う上蓋１２４には、多数の通気孔が設けられており、原料水２００から立ち上る水蒸気を外槽１２０の外部へと放出することができるようになっている。外槽１２０の容量は、内槽１１０に収容する基材の量などによっても異なり、特に限定されないが、本実施態様の放射性水溶液製造装置１００においては、最大で約３７Ｌ（外槽１２０の幅が４４８ｍｍ、奥行きが２４３ｍｍ、底面からオーバーフロー孔１２１までの高さが３３９ｍｍ）の原料水２００を貯めることができるものとなっている。
【００２７】
（２）  原料水供給手段
外槽１２０の上部には、図１に示すように、水道水と薬液とを混合して原料水２００を調製するための混合槽１２５が設けられており、ｐＨが一定の原料水２００を調製することができるようになっている。薬液は、薬液ポット１６０から供給される。混合槽１２５の下部には、混合槽１２５で調製された原料水２００を外槽１２０の内部に供給するための原料水供給手段１２２が設けられている。原料水供給手段１２２は、原料水２００を供給できるものであれば特に限定されないが、本実施態様の放射性水溶液製造装置１００においては、原料水２００を霧状にして噴射するスプレーノズルを用いている。このため、外槽１２０の下部に溜まった原料水２００に溶出されずに外槽１２０の上部へと上ってきたラドンなどの壊変生成物を再び原料水２００に接触させて、前記壊変生成物をより効率的に溶出させることができるようになっている。
【００２８】
（３）  水位検知手段
外槽１２０の内部には、原料水２００の水位を検知するための水位検知手段１２３が設けられている。このため、外槽１２０の内部に貯えられている原料水２００が少なくなったり、多くなったりした場合に、警報を出力したり、原料水供給手段１２２から供給される原料水２００の量を調節したりすることができるようになっている。したがって、製造される放射性水溶液の放射能濃度に大きなバラツキが生じないようになっており、放射性水溶液の生体に対する安全性をさらに担保することができるようになっている。
【００２９】
１．３  回転駆動手段
回転駆動手段１３０は、内槽１１０を回転駆動するためのものとなっている。回転駆動手段１３０は、内槽１１０を回転駆動できるものであれば特に限定されないが、通常、モータが用いられる。この回転駆動手段１３０は、内槽１１０を非水平な軸回りに回転駆動するものであってもよいが、本実施態様の放射性水溶液製造装置１００においては、図１に示すように、水平に配された内槽１１０をその中心軸Ｌ１を中心に回転駆動するものとなっており、内槽１１０を水平な軸回りに回転駆動するものとなっている。
【００３０】
１．４  加熱手段
加熱手段１４０は、原料水２００を加熱するためのものとなっている。この加熱手段１４０は、原料水２００を所定の温度まで加熱することができるものであれば特に限定されず、従来周知の種々の加熱器を用いることができる。なかでも、抵抗発熱体を用いた加熱器は、電気エネルギーを高い効率で熱エネルギーに変換できるだけでなく、温度調節も容易であるために好適である。抵抗発熱体としては、鉄−クロム−アルミニウム系合金や、ニッケル−クロム系合金や、タングステンなどが例示される。本実施態様の放射性水溶液製造装置１００においては、抵抗発熱体の外部を金属製の鞘（シース）で覆ったシーズヒータを加熱手段１４０として用いている。
【００３１】
２．０  放射性水溶液製造方法
次に、本発明の放射水溶液製造方法について説明する。以下においては、本発明の放射性水溶液製造方法を、図１に示した放射性水溶液製造装置１００を用いた場合について説明するが、本発明の放射性水溶液製造装置１００は、この実施態様に限定されるものではない。
【００３２】
２．１  基材
まず、内槽１１０の内部に基材を収容する。基材の種類は、ウランやトリウムなどの放射性物質を含有する固体状のものであれば特に限定されないが、通常、モナザイト、ゼノタイム、ジルコンなどの放射性鉱物が用いられる。ただし、それから放出される放射線の濃度が３７０Ｂｑ／ｇ以上であると、基材が「放射性同位元素等による放射線障害の防止に関する法律」によって取扱いが規制される「放射性同位元素」に該当するようになるために、放射線の濃度が３７０Ｂｑ／ｇ未満のものを使用するとよい。
【００３３】
基材は、塊状の状態で内槽１１０に収容しても良いが、粒状に破砕した状態で内槽１１０に収容すると好ましい。これにより、基材と原料水２００との接触面積を増大させて、基材に含有される放射性物質の壊変生成物を原料水２００により速やかに溶出させることができるようになる。
【００３４】
基材の粒径は、内槽１１０を形成する通水性材料１１１を通り抜けない程度に大きければ特に限定されない。しかし、基材の粒径を小さく設定しすぎると、基材を内槽１１０で保持するためには、通水性材料１１１の開孔径を非常に小さく設定しなければならなくなり、通水性材料１１１が目詰まりしやすくなるおそれがあるばかりか、内槽１１０の内部の原料水と内槽１１０の外部の原料水とが交換しにくくなるおそれもある。このため、基材の粒径は、通常、１０μｍ以上に設定される。基材の粒径は、５０μｍ以上であると好ましく、８０μｍ以上であるとより好ましく、１００μｍ以上であるとさらに好ましい。
【００３５】
一方、基材の粒径を大きく設定しすぎると、基材と原料水との接触面積を広く確保することができなくなり、基材に含有される放射性物質の壊変生成物が原料水に溶出しにくくなるおそれがある。このため、基材の粒径の最小粒径は、通常、１０ｍｍ以下に設定される。基材の粒径は、５ｍｍ以下であると好ましく、１ｍｍ以下であるとより好ましく、５００μｍ以下であるとさらに好ましい。
【００３６】
本実施態様の放射性水溶液製造方法においては、オーストリアのザルツブルグ州バドガシュタインで産出されるバドガシュタイン鉱石（ラジウムを僅かに含有し、ラドンを散逸する鉱石）を粒径１２０〜３００μｍの粒状に破砕したものを基材として用いている。このバドガシュタイン鉱石は、放射能泉の効能として知られているホルミシス効果（低線量の放射線によって生体にもたらされる有益な効果）を奏することのできる適量の放射線をもたらすだけでなく、入手が容易であるために、本発明の放射性水溶液製造方法に好適に用いることができるものとなっている。
【００３７】
参考までに、本実施態様の放射性水溶液製造方法で基材として用いたバドガシュタイン鉱石の成分を下記表１に示す。ただし、下記表１の結果は、まず、バドガシュタイン鉱石の定性分析を高周波誘導結合プラズマ発光分光分析法（ＩＣＰ−ＡＥＳ）により行い、該定性分析によって検出された１４個の各元素についてそれぞれ定量分析を行うことによって得たものである。各元素の定量分析は、Ｓｉについては重量法によって、ＮａとＫについては原子吸光光度法によって、その他の元素については高周波誘導結合プラズマ発光分光分析法によって行った。
【００３８】
【表１】
2007170878.tif 000003
【００３９】
また、本実施態様の放射性水溶液製造方法で基材として用いたバドガシュタイン鉱石の放射能濃度を下記表２に示す。ただし、下記表２の結果は、粒径が１２０〜１４０μｍに設定された１００ｇのバドガシュタイン鉱石について得られたものである。放射能濃度の測定は、高純度ゲルマニウム検出器（ＨＰＧｅ検出器）を用いてγ線を測定することによって行った。
【００４０】
【表２】
2007170878.tif 000004
【００４１】
内槽１１０に収容する基材の量は、得られる放射性水溶液の所望の放射能濃度などによっても異なり、特に限定されないが、本実施態様の放射性水溶液製造方法においては、２０００ｇの基材を内槽１１０に収容している。内槽１１０に基材を収容し終えると、内槽１１０を外槽１２０の内部に収容して回転駆動手段１３０に接続する。
【００４２】
２．２  原料水
【００４３】
続いて、外槽１２０の内部に原料水２００を供給し、内槽１１０を原料水２００に浸漬させる。原料水２００の種類は、得られる放射性水溶液の用途などによっても異なり、特に限定されないが、基材と接触する前におけるｐＨが７未満の酸性水であると好ましい。これにより、基材に含有される放射性物質の壊変生成物を原料水２００により速やかに溶出させることが可能になる。
【００４４】
得られる放射性水溶液を温浴水として利用する場合には、基材と接触する前における原料水２００のｐＨは１〜５であるとより好ましく、２〜４であるとさらに好ましい。本実施態様の放射性水溶液製造方法においては、基材と接触する前におけるｐＨが３の酸性水を原料水２００として用いている。ただし、基材と所定時間接触させた後における原料水２００のｐＨが低くなりすぎると、原料水２００が肌や粘膜などを強く刺激するようになり、温浴水として利用しにくくなる。このため、基材と所定時間接触させた後における原料水２００ができるだけ中和するように、原料水２００の量や、基材の量や、攪拌時間などを調整しておくと好ましい。
【００４５】
外槽１１０に貯める原料水２００の量は、内槽１１０に収容した基材の量などによっても異なり、特に限定されない。本実施態様の放射性水溶液製造方法においては、外槽１２０に貯められる原料水２００の量が２５Ｌとなるように設定されている。また、外槽１２０に貯められた原料水２００の上面と上蓋１２４との間には、空気層が設けられており、上蓋１２４に設けられた通気孔から放出される水蒸気の温度を所望の温度まで下げることができるようになっている。本実施態様の放射性水溶液製造方法においては、前記空気層の高さを４１５ｍｍに設定しており、上蓋１２４の通気孔からは、４５℃前後にまで冷却された水蒸気が放出されるようになっている。
【００４６】
２．３  加熱
原料水２００が外槽１１０の内部に所定量貯まると、加熱手段１４０を駆動し、外槽１２０に貯められた原料水２００を所定温度（Ｔとする。）まで加熱する。温度Ｔは、基材の種類などによっても異なり、とくに限定されない。しかし、温度Ｔが低すぎると、基材から前記壊変生成物が速やかに溶出しにくくなるおそれがある。このため、温度Ｔは、通常、３５℃以上に設定される。温度Ｔは、５０℃以上であると好ましく、６０℃以上であるとより好ましく、７０℃以上であるとさらに好ましい。本実施態様の放射性水溶液製造方法において、温度Ｔは、８０℃に設定されている。
【００４７】
２．４  攪拌
原料水２００を所定温度Ｔまで加熱すると、回転駆動手段１３０を起動して内槽１１０を回転駆動し、内槽１１０に収容された基材を攪拌する。内槽１１０の回転速度は、内槽１１０に収容する基材の量などによって異なり、特に限定されない。しかし、内槽１１０の回転速度を遅く設定しすぎると、基材を効果的に攪拌できなくなるおそれがある。このため、内槽１１０の回転速度は、通常、２０ｒｐｍ以上に設定される。内槽１１０の回転速度は、３０ｒｐｍ以上であると好ましく、３５ｒｐｍ以上であるとより好ましく、４０ｒｐｍ以上であるとさらに好ましい。
【００４８】
一方、内槽１１０の回転速度を早く設定しすぎると、内槽１１０に収容された基材が内槽１１０の内周部近傍に偏ったり、通水性材料で形成された部分から内槽１１０の外部に抜け出たりするおそれがある。このため、内槽１１０の回転速度は、通常、１２０ｒｐｍ以下に設定される。内槽１１０の回転速度は、９０ｒｐｍ以下であると好ましく、７５ｒｐｍ以下であるとより好ましく、６０ｒｐｍ以下であるとさらに好ましい。本実施態様の放射性水溶液製造方法において、内槽１１０の回転速度は、４５ｒｐｍに設定されている。
【００４９】
基材の攪拌時間は、内槽１１０の回転速度などによっても異なり、特に限定されない。しかし、基材の攪拌時間を短く設定しすぎると、基材から前記壊変生成物を十分に溶出させることができなくなるおそれがある。このため、基材の攪拌時間は、通常、６０分以上に設定される。基材の攪拌時間は、１２０分以上であると好ましく、１８０分以上であるとより好ましく、２１０分以上であるとさらに好ましい。本実施態様の放射性水溶液製造方法において、攪拌時間は、２４０分に設定されている。
【００５０】
２．５  用途
以上の放射性水溶液製造方法で製造された放射性水溶液は、各種用途に供することができる。なかでも、温浴水として利用すると好適である。この場合、得られた温浴水（放射性水溶液）は、液体のまま浴槽に貯めて使用してもよいが、気化させて（スチーム風呂の水蒸気として）使用すると好ましい。これにより、温浴水に含まれるラドンなどの壊変生成物を呼吸器粘膜から体内に吸収させ、前記壊変生成物をより効率的に体内に摂取することができるようになる。したがって、より優れたホルミシス効果を期待することもできる。
【図面の簡単な説明】
【００５１】
【図１】本発明の放射性水溶液製造装置を示した説明図である。
【図２】本発明の放射性水溶液製造装置における内槽をその中心軸Ｌ１に垂直な面で切断した状態を示した断面図である。
【図３】本発明の放射性水溶液製造装置における内槽をその中心軸Ｌ１を含む平面で分割した状態を示した斜視図である。
【図４】本発明の放射性水溶液製造装置における一の攪拌板列を各攪拌板の先端側から見た状態を示した図である。
【符号の説明】
【００５２】
１００  放射性水溶液製造装置
１１０  内槽
１１１  通水性材料
１１２  攪拌板
１２０  外槽
１２１  オーバーフロー孔
１２２  原料水供給手段
１２３  水位検知手段
１２４  上蓋
１２５  混合槽
１３０  回転駆動手段
１４０  加熱手段
１５０  ポンプ
１６０  薬液ポット
２００  原料水
【図１】
2007170878.tif 000005
【図２】
2007170878.tif 000006
【図３】
2007170878.tif 000007
【図４】
2007170878.tif 000008